(57)【要約】      （修正有）【課題】別途に物差し等を用意して物差し等で計測しなくても窓の上下寸法にフィットした丈サイズに調節カーテンを本体カーテンに簡単かつ迅速に取り付けることができる丈サイズ調節可能カーテンを提供する。【解決手段】掃き出し窓用丈サイズ調節可能カーテンは、丈の長い本体カーテン１２と、本体カーテン１２の下部に着脱可能に取り付けられる丈の短い調節カーテンと、から構成されている。本体カーテン１２の背面１２Ｂの下部には本体カーテン１２の幅方向Ｗに向かって第１面ファスナー１６が間隔を設けて複数本取り付けられている。本体カーテン１２には第１面ファスナー１６の横に本体カーテン１２の丈方向Ｈに沿って丈調節用メジャー１８が印刷されている。調節カーテンの正面の上部には調節カーテンの幅方向Ｗに向かって帯状の第２面ファスナーが１本取り付けられている。【選択図】図３
0003230316.tif 000002
【実用新案登録請求の範囲】
【請求項１】
丈サイズ調節可能カーテンを構成する本体カーテンと、この本体カーテンの下部に着脱可能であって前記本体カーテンと共に前記丈サイズ調節可能カーテンを構成する調節カーテンと、前記本体カーテンの少なくとも一面に取り付けられると共に本体カーテンの丈方向に向って取り付けられた第１着脱体と、この第１着脱体の横に設けられた丈調節用メジャーと、前記調節カーテンの少なくとも一面に取り付けられると共に前記第１着脱体と着脱可能な第２着脱体と、を有してなることを特徴とする丈サイズ調節可能カーテン。
【請求項２】
丈サイズ調節可能カーテンを構成する本体カーテンと、この本体カーテンの下部に着脱可能であって前記本体カーテンと共に前記丈サイズ調節可能カーテンを構成する調節カーテンと、前記本体カーテンの幅方向に向かって交互に形成される山部及び谷部と、前記本体カーテンの少なくとも一面に取り付けられると共に本体カーテンの山部と谷部に本体カーテンの丈方向に向って取り付けられた第１着脱体と、この第１着脱体に沿って設けられた丈調節用メジャーと、前記調節カーテンの少なくとも一面に取り付けられると共に前記第１着脱体と着脱可能な第２着脱体と、を有してなることを特徴とする丈サイズ調節可能カーテン。
【請求項３】
前記本体カーテンの色彩と前記調節カーテンの色彩を違う色彩にしたことを特徴とする請求項１、請求項２のいずれか１項記載の丈サイズ調節可能カーテン。
【請求項４】
前記第２着脱体を調節カーテンの幅方向に向って帯状に取り付けたことを特徴とする請求項１、請求項２、請求項３のいずれか１項記載の丈サイズ調節可能カーテン。
【請求項５】
前記第１着脱体と前記第２着脱体を面ファスナーにしたことを特徴とする請求項１、請求項２、請求項３、請求項４のいずれか１項記載の丈サイズ調節可能カーテン。
【考案の詳細な説明】
【技術分野】
【０００１】
本考案は、部屋の掃き出し窓等に取り付けられるカーテンに関し、詳しくはカーテンの丈サイズを調節することができる丈サイズ調節可能カーテンに関する。
【背景技術】
【０００２】
建物の部屋には掃き出し窓から部屋に入る太陽光や音を遮光したり遮音したりするため、掃き出し窓の内側にいわゆる掃き出し窓用カーテンを取り付ける場合が多い。
しかし、この掃き出し窓用カーテンが既成カーテンである場合、掃き出し窓用カーテンの丈寸法が決まっているので、掃き出し窓の上下方向寸法よりも既成掃き出し窓用カーテンの丈寸法が長いと既成掃き出し窓用カーテンの裾が床に着いてしまって既成掃き出し窓用カーテンを開閉する際に既成掃き出し窓用カーテンの裾が床を引きずる状態になると共に見栄えが悪くなるという不具合がある。
また、既成掃き出し窓用カーテンの丈寸法が掃き出し窓の上下方向寸法よりも短いと既成掃き出し窓用カーテンの裾と床との間に隙間が生じて遮光効果や遮音効果が悪くなると共に見栄えが悪くなるという不具合がある。
そこで、既成掃き出し窓用カーテンではなくオーダー掃き出し窓用カーテンを取り付ければオーダー掃き出し窓用カーテンの丈を掃き出し窓の上下方向寸法とフィットさせることができるので上記不具合を解消できるが、オーダー掃き出し窓用カーテンは既成掃き出し窓用カーテンよりも高価である。
そこで、既成掃き出し窓用カーテンを本体カーテンと補助カーテンとで形成し、本体カーテンの下に補助カーテンを着脱可能に取り付けることにより既成掃き出し窓用カーテンの丈寸法を掃き出し用窓の上下方向寸法にフィットさせることができる長さ調節カーテンが提案されている（例えば特許文献１）。
この長さ調節カーテンは、本体カーテンの下部に本体カーテンの幅方向に沿って第１面テープを間隔を設けて取り付けると共に補助カーテンの上部に補助カーテンの幅方向に沿って第２面テープを間隔を設けて取り付け、前記第２面テープを前記第１面テープに接着させることにより本体カーテンに補助カーテンを取り付けて長さ調節カーテンの丈寸法の長さ調節を行うことができるものである。
【先行技術文献】
【特許文献】
【０００３】
【特許文献１】実用新案登録第３０８４２８５号
【考案の概要】
【考案が解決しようとする課題】
【０００４】
しかし、前記長さ調節カーテンは、本体カーテンの下部に第１面テープを設け、補助カーテンの上部に第２面テープが設けただけであるため、取り付ける掃き出し窓の上下寸法にフィットした丈の長さ調節カーテンを作るためには別途に用意した物差し等を使用して補助カーテンの取り付け位置を計測し、補助カーテンを本体カーテンに取り付けなければならず、煩雑であると共に手間がかかるという不具合がある。
【０００５】
本考案は、上記事実に鑑みなされたものであり、別途に物差し等を用意して物差し等で計測しなくても掃き出し窓の上下寸法にフィットした丈サイズに補助カーテンを本体カーテンに簡単かつ迅速に取り付けることができる丈サイズ調節可能カーテンを提供するものである。
【課題を解決するための手段】
【０００６】
請求項１の考案は、丈サイズ調節可能カーテンを構成する本体カーテンと、この本体カーテンの下部に着脱可能であって前記本体カーテンと共に前記丈サイズ調節可能カーテンを構成する調節カーテンと、前記本体カーテンの少なくとも一面に取り付けられると共に本体カーテンの丈方向に向って取り付けられた第１着脱体と、この第１着脱体の横に設けられた丈調節用メジャーと、前記調節カーテンの少なくとも一面に取り付けられると共に前記第１着脱体と着脱可能な第２着脱体と、を有してなることを特徴としている。
請求項２の考案は、丈サイズ調節可能カーテンを構成する本体カーテンと、この本体カーテンの下部に着脱可能であって前記本体カーテンと共に前記丈サイズ調節可能カーテンを構成する調節カーテンと、前記本体カーテンの幅方向に向かって交互に形成される山部及び谷部と、前記本体カーテンの少なくとも一面に取り付けられると共に本体カーテンの山部と谷部に本体カーテンの丈方向に向って取り付けられた第１着脱体と、この第１着脱体に沿って設けられた丈調節用メジャーと、前記調節カーテンの少なくとも一面に取り付けられると共に前記第１着脱体と着脱可能な第２着脱体と、を有してなることを特徴としている。
請求項３の考案は、前記本体カーテンの色彩と前記調節カーテンの色彩を違う色彩にしたことを特徴としている。
請求項４の考案は、前記第２着脱体を調節カーテンの幅方向に向って帯状に取り付けたことを特徴としている。
請求項５の考案は、前記第１着脱体と前記第２着脱体を面ファスナーにしたことを特徴としている。
【考案の効果】
【０００７】
本考案は、別途に物差し等を用意して物差し等で計測しなくても取り付ける窓の上下寸法にフィットした丈サイズに丈サイズ調節可能カーテンがなるように調節カーテンを本体カーテンに簡単かつ迅速に取り付けることができるという優れた効果を有する。
本考案は、上端縁と下端縁が平行になるように調節カーテンを本体カーテンを取り付けることができるので丈サイズ調節可能カーテンの見栄えが悪くなることを防止できるという優れた効果を有する。
本考案は、既成品の本体カーテンと既製品の調節カーテンとから構成されているため、オーダーカーテンに比べて経済的に提供することができるという優れた効果を有する。
請求項３の本考案は、上記優れた効果の他に本体カーテンの色彩と調節カーテンの色彩を違う色彩にしたことにより本体カーテンの下部に調節カーテンを取り付けたデザイン的な違和感を無くすことができると共に近年流行しているボーダースタイルカーテンを安価に提供できるという優れた効果を有する。
【図面の簡単な説明】
【０００８】
【図１】実施例の丈サイズ調節可能カーテンの全体斜視図である。
【図２】実施例の丈サイズ調節可能カーテンの本体カーテンの一部横断面図である。
【図３】実施例の丈サイズ調節可能カーテンの本体カーテンの一部背面図である。
【図４】実施例の丈サイズ調節可能カーテンの補助カーテンの一部正面図である。
【図５】実施例の丈サイズ調節可能カーテンの一部横断面図である。
【図６】実施例の丈サイズ調節可能カーテンの一部拡大背面図である。
【図７】実施例の変形例の丈サイズ調節可能カーテンの一部拡大横断面図である。
【考案を実施するための形態】
【０００９】
考案を実施するために最良の形態の例として以下のような実施例を示す。
【実施例１】
【００１０】
図１〜図７には本考案に係る丈サイズ調節可能カーテンの一実施例が示されている。なお、この実施例では丈サイズ調節可能カーテンは、部屋の掃き出し窓の内側に取り付けられる掃き出し窓用カーテンとしての掃き出し窓用丈サイズ調節可能カーテンを例として説明する。
【００１１】
図１に示されるように、この掃き出し窓用丈サイズ調節可能カーテン１０は、掃き出し窓Ａの一側部側と他側部側にそれぞれ取り付けられる両開タイプである。従って、以下の説明では掃き出し用窓Ａに取り付けられる一対の掃き出し窓用丈サイズ調節可能カーテン１０の一方の掃き出し窓用丈サイズ調節可能カーテン１０について説明する。
【００１２】
前記掃き出し窓用丈サイズ調節可能カーテン１０は、丈の長い本体カーテン１２と、こ
の本体カーテン１２の下部に着脱可能に取り付けられる丈の短い調節カーテン１４と、から構成されている。
この実施例では体カーテン１２の正面１２Ａが室内側に位置し、背面１２Ｂが窓側に位置し、調節カーテン１４も正面１４Ａが室内側に位置し、背面１４Ｂが窓側に位置するようになっている。
【００１３】
なお、この実施例では本体カーテン１２の丈寸法は１４０ｃｍ、幅寸法は１００ｃｍの
サイズに矩形状にカットされたポリエステル製生地で形成されている。また、調節カーテン１４の丈寸法は６５ｃｍ、幅寸法は１００ｃｍのサイズに矩形状にカットされたポリエステル製生地で形成されている。
【００１４】
この実施例では前記本体カーテン１２のポリエステル生地はグレーの色彩とされ、前記調節カーテン１４のポリエステル生地はブラウンの色彩とされている。
【００１５】
図２に示されるように、前記本体カーテン１２は幅方向（矢印Ｗ方向）に向かって交互に山部１２Ｃと谷部１２Ｄが連続形成され平面視ウェーブ状態になるように予め形状記憶加工が施されている。
【００１６】
なお、図５に示されるように、前記調節カーテン１４も同様に幅方向（矢印Ｗ方向）に向かって交互に山部１４Ｃと谷部１４Ｄが連続形成され平面視ウェーブ状態になるように予め形状記憶加工が施されている。
【００１７】
図３に示されるように、前記本体カーテン１２の背面１２Ｂの下端部には本体カーテン１２の幅方向Ｗに向かって第１着脱体としての第１面ファスナー１６が間隔を設けて複数本取り付けられている。
【００１８】
なお、図２に示されるように、前記第１面ファスナー１６は、本体カーテン１２の山部１２Ｃと谷部１２Ｄに取り付けられるようになっている。
【００１９】
図３に示されるように、前記本体カーテン１２には第１面ファスナー１８の横に本体カーテン１２の丈方向Ｈに沿って丈調節用メジャー１８が印刷されている。この丈調節用メジャー１８の目盛１８Ａは１ｃｍ間隔となっている。この実施例では１７５ｃｍ〜２００ｃｍの目盛１８Ａが本体カーテン１２の裏面１２Ｂに直接印刷されている。
【００２０】
なお、この実施例では丈寸法が１４０ｃｍの本体カーテン１２に丈寸法が６５ｃｍの調節カーテン１４の上端縁１４Ｅを丈調節用メジャー１８の目盛１８Ａに合わせると目盛１８Ａの数字の丈サイズに丈サイズ調節可能カーテン１０の丈寸法がなる位置に前記丈調節用メジャー１８が設けられるようになっている。
【００２１】
図４に示されるように、前記調節カーテン１４の正面１４Ａの上端部には調節カーテン１４の幅方向Ｗに向かって第２着脱体としての帯状の第２面ファスナー２０が１本取り付けられている。
【００２２】
前記第１面ファスナー１６と第２面ファスナー２０は接近方向に押し付ければ互いに係合し、離間方向に引っ張れば高いに離間するようになっている。これにより、本体カーテン１２と調節カーテン１４は着脱可能になっている。
【００２３】
しかも、図５に示されるように、前記第１面ファスナー１６は、本体カーテン１２の山部１２Ｃと谷部１２Ｄに取り付けられているので、第２面ファスナー２０も調節カーテン１４の山部１４Ｃと谷部１４Ｄの点で着くため、前記本体カーテン１２と前記調節カーテン１４をより密着状態にできる。
【００２４】
なお、この実施例では前記第１面ファスナー１６、前記第２面ファスナー２０としてベルクロ（登録商標）テープが使用されている。
【００２５】
次に実施例の丈サイズ調節可能カーテンとしての掃き出し窓用丈サイズ調節可能カーテン１０の作用を例に説明する。
【００２６】
図１に示されるように、掃き出し窓用丈サイズ調節可能カーテン１０を掃き出し窓Ａの内側に取り付ける場合は、最初に掃き出し窓Ａの上下寸法を測る。これにより、取り付ける掃き出し窓用丈サイズ調節可能カーテン１０の丈寸法を決定することができる。
【００２７】
例えば、掃き出し窓Ａの上下寸法との関係で掃き出し窓用丈サイズ調節可能カーテン１０の丈寸法を１８５ｃｍにしたい場合は、図６に示されるように本体カーテン１２の背面１２Ｂに調節カーテン１４を配設し、調節カーテン１４の上端縁１４Ｅを本体カーテン１２の背面１２Ｂの第１面ファスナー１６の横に印刷されている丈調節用メジャー１８の目盛Ａ１８５ｃｍに合わせる。
【００２８】
これにより、別途に物差し等を用意して計測しなくても掃き出し窓Ａの上下寸法にフィオットした丈サイズに掃き出し窓用丈サイズ調節可能カーテン１０がなるように本体カーテン１２に調節カーテン１４を取り付けることができ、丈寸法が１８５ｃｍの掃き出し窓用丈サイズ調節可能カーテン１０を簡単かつ迅速に作ることができる。
【００２９】
しかも、丈調節用メジャー１８は本体カーテン１２の幅方向Ｗに間隔を設けて複数設けられているので調節カーテン１４の上端縁１４Ｅを本体カーテン１２の背面１２Ｂに印刷されている丈調節用メジャー１８の目盛１８Ａの１８５ｃｍに合わせれば掃き出し窓用丈サイズ調節可能カーテン１０の上端縁１０Ａと下端縁１０Ｂが平行状態となる。
【００３０】
そして、前記掃き出し窓用丈サイズ調節可能カーテン１０の上端縁１０Ａに取り付けられているフック（図示せず）を掃き出し窓Ａの上端部に横架されたレール（図示せず）にスライド可能に取り付けられたランナー（図示せず）に係止させることにより掃き出し窓Ａの上下寸法にフィットした丈サイズの掃き出し窓用丈サイズ調節可能カーテン１０を取り付けることができる。
【００３１】
図１に示されるように、掃き出し用窓Ａに取り付けられた掃き出し窓用丈サイズ調節可能カーテン１０の上端縁１０Ａと下端縁１０Ｂが平行状態になっているので、掃き出し窓用丈サイズ調節可能カーテン１０の見栄えが悪くなるのを防止できる。
【００３２】
しかも、掃き出し窓用丈サイズ調節可能カーテン１０は既成の本体カーテン１２と既成の調節カーテン１４から構成されているのでオーダーカーテンに比べて提供価格を抑えることができて経済的である。
【００３３】
また、本体カーテン１２の色彩はグレー、調節カーテン１４の色彩はブラウンというように本体カーテン１２の色彩と調節カーテン１４の色彩を違う色彩にしたことにより本体カーテン１２の下部に調節カーテン１４を取り付けたデザイン的な違和感を無くすことができると共に近年流行しているボーダースタイルカーテンとして使用することができる。
【００３４】
なお、実施例では平面視ウェーブ状態になるように予め形状記憶加工が施されていた本体カーテン１２、調節カーテン１４を示したが、これに限定されるものではなく例えば図７に示されるような平面視フラット状の体カーテン１２、調節カーテン１４でもよいことは勿論である。
【００３５】
また、実施例では本体カーテン１２の色彩はグレー、調節カーテン１４の色彩はブラウンというように本体カーテン１２と調節カーテン１４の色彩を別の色彩にしたが、同一の色彩の本体カーテン１２と調節カーテン１４を選択して掃き出し窓用丈サイズ調節可能カーテン１０としてもよいことは勿論である。
【００３６】
なお、実施例では本体カーテン１２の背面１２Ｂに第１着脱体としての第１面ファスナー１６を設け、調節カーテン１４の正面１４Ａに第２着脱体としての第２面ファスナー２０を設けたが、これに限定されずに本体カーテン１２の正面１２Ａに第１着脱体としての第１面ファスナー１６を設け、調節カーテン１４の背面１４Ｂに第２着脱体としての第２面ファスナー２０を設けてもよいことは勿論である。
【００３７】
また、実施例では本体カーテン１２の丈方向Ｈに沿って丈調節用メジャー１８を印刷することによって丈調節用メジャー１８を設けた場合を示したが、丈調節用メジャー１８の態様はこれに限定されるものでなく、例えば別途にシール状の丈調節メジャー１８を形成して本体カーテン１２に取り付けるようにしてもよいことは勿論である。
【００３８】
なお、実施例では本体カーテン１２は丈寸法が１４０ｃｍ、幅寸法が１００ｃｍのサイ
ズに矩形状にカットされたポリエステル製生地で、調節カーテン１４は丈寸法が６５ｃｍ、幅寸法が１００ｃｍのサイズに矩形状にカットされたポリエステル製生地で、それぞれ形成したが、本体カーテン１２及び調節カーテン１４のサイズや素材はこれに限定されるものでないことは勿論である。
【００３９】
また、実施例では丈サイズ調節可能カーテンとして掃き出し窓Ａに取り付けられる掃き出し窓用丈サイズ調節可能カーテン１０を示したが、丈サイズ調節可能カーテンは実施例の窓用丈サイズ調節可能カーテン１０に限定されるものではなく、例えば腰窓に取り付ける腰窓用丈サイズ調節可能カーテンでもよく、取り付けられる窓に限定されるものでないことは勿論である。
【００４０】
なお、実施例では第１着脱体として第１面ファスナー１６、第２着脱体として第２面ファスナー２０を記載し、第１面ファスナー１６、第２面ファスナー２０としてベルクロ（登録商標）テープを示したが、第１着脱体、第２着脱体はこれに限定されるものではなく第１着脱体、第２着脱体はマジックテープ（登録商標）、片面テープ、両面テープ等でもよいことは勿論である。
【符号の説明】
【００４１】
１０    掃き出し窓用丈サイズ調節可能カーテン
１０Ａ  上端縁
１０Ｂ  下端縁
１２    本体カーテン
１２Ａ  正面
１２Ｂ  背面
１２Ｃ  山部
１２Ｄ  谷部
１４    調節カーテン
１４Ａ  正面
１４Ｂ  背面
１４Ｃ  山部
１４Ｄ  谷部
１４Ｅ  上端縁
１６    第１面ファスナー
１８    丈調節用メジャー
１８Ａ  目盛
２０    第２面ファスナー
【図１】
0003230316.tif 000003
【図２】
0003230316.tif 000004
【図３】
0003230316.tif 000005
【図４】
0003230316.tif 000006
【図５】
0003230316.tif 000007
【図６】
0003230316.tif 000008
【図７】
0003230316.tif 000009